(57)【要約】
【課題】雪掻き作業において、腰の曲げ伸ばし動作による体への負担を防止し、作業性を高める事を目的とした補助グリップを雪掻きに装備する事にあり、それを実用とする手段として軽量安価で操作性に優れた補助グリップを提供する。
【解決手段】樹脂部材による一体型抜き構造のグリップと、Ｕ字型の受け具からなる単純構造とし、これらを合体して雪掻きに固定する機能と、グリップの回動動作を制御する機能を１個のノブねじによって兼用すると共に、型抜き時の形状によるストッパーを設け、使用時と不使用時のそれぞれにおいて理想の位置にグリップが留まる機能を持たせたものである。
【選択図】  図２
0003101183.tif 000002
【実用新案登録請求の範囲】
【請求項１】
除雪部本体に連結され上部に伸びる柄の中ほどに設けられる補助グリップであって、樹脂部材による一体型抜き構造による折りたたみ式の握り部と、概柄を支持体として装着されるＵ字型受け具から構成されると共に、１個のノブねじによって補助グリップの装着固定、折りたたみ動作、位置移動などの全ての操作が行われる形態をなしている事を特長とする、雪掻き専用の補助グリップ。
【考案の詳細な説明】
【考案の詳細な説明】
【技術分野】
【０００１】  本考案は、除雪作業に用いられる雪掻き専用の補助グリップに関する。
【背景技術】
【０００２】  雪掻き用具にはさまざまな種類が存在するが、最も一般に普及しているのが雪掻きであって、通称「雪はね」とも呼ばれる。本考案は、この雪掻きに専用の補助グリップを設けるものであるが、従来、スコップ用の補助グリップとも云える出願がなされている。これは対象の用途は異なるが求める機能について類似するため以下に詳しく記す。【０００３】  第一に（特開平９−１７０２４３）のスコップ自在取っ手補助具、第二に（特開平９−２７９６２１）のスコップ及びシャベル類の構造、第三に（実願平１０−８８４６）のスコップ補助具。以上の３点があるが、これらは名が示すように何れもスコップを対象とした補助具である。これらはスコップ作業において、腰を屈める割合を軽減する事を主な目的としているが、これらはそのまま雪掻きに取り入れる事は出来ない。何故なら、雪用スコップ以外の一般の雪掻きはスコップとは全く使用方法が異なり、当然構造も異なるからである。【０００４】  例えば、雪掻き本体は対象が軽い雪のためスコップの倍ほど大型構造である。そのため軽量化が絶対の条件で樹脂材や竹材が用いられる。そして使い方では、路面の雪を押し移動しながらかき集めて投雪するため、間口面は広い平面形状をなしている。更に、柄についてはスコップよりかなり長いのが特徴で、樹脂部材のグリップが採用され全体が極めて軽量に作られている。【０００５】  以上の雪掻きの特徴を鑑みれば、第一、第三の補助具のようなものは除雪作業には邪魔であるばかりか、柄の重量が大幅に増加する事が避けられずバランスも悪い。しかも作用的な相違もあり、雪掻きには全く利用出来ない。【０００６】  機能構造が本案と類似するのは第二の補助具であるが、この欠点は常時柄の垂直面に突出している形態にある。雪掻きに補助具を用いて腰を屈めないようにするには握りの高さが１０から１５センチ必要となるが、このようなものが常時立ち上がっている状態では雪掻きには利用出来ない。補助具による効果と、このような補助具が常時突出する不便さと比較するなら、雪掻きによる除雪作業においてはマイナス面の方が勝るのである。【０００７】  また、上記３点の共通する問題点として、スコップを対象とした補助具のため、取付金具を用いる構造とするしかない。従って、道具を用いなければ調整や装着が不可能であるから、特に女性が使用する割合の多い雪掻きには採用出来ない構造である。しかも、不使用時には極めて邪魔であり、スコップ用としても実用とはならないのである。
【解決しようとする課題】
【０００８】  以上の事から、スコップ用の補助具と雪掻き用の補助グリップでは求める効果が同様の場合でも根本的な構造が違うのである。要するに、雪掻き作業の実際の動作形態、用具の構造形状、部材の重量などが雪掻きに合致した専用の補助グリップでなければ実用とはならないのである。従って、本考案では常時装備されても邪魔にならず、しかも軽量安価で女性にも簡単に扱う事が出来る実用的な雪掻き専用の補助グリップを提供する事にある。
【課題を解決するための手段】
【０００９】  課題解決のため、請求項１記載の考案によれば、樹脂部材による一体型抜き構造による折りたたみ式の握り部と、概柄を支持体として装着されるＵ字型受け具から構成されると共に、１個のノブねじによって補助グリップの装着固定、折りたたみ動作、位置移動などの全ての操作が行われる形態をなしている事を特長とする、雪掻き専用の補助グリップとしたものである。
【００１０】  上記の考案による作用は、樹脂部材を用いた一体成型のグリップとする事で軽量安価を実現すると共に、１個のノブねじが全ての操作を行う形態とした事により、女性でも簡単に取り扱いが可能となる構造としたものである。
【００１１】  そして、従来スコップ用として出願されている補助具の最も大きな問題は不使用時には誠に邪魔となる点にあり、実用化されていない大きな要因となっているのである。本考案の雪掻き専用の補助グリップでは、１個のノブねじを回すのみで折りたたみながら邪魔にならない位置まで簡単に移動出来るため実用として十分有効である。
【実施例】
【００１２】  以下、本考案の実施の形態として実施例を図面に基ずいて説明する。  図１は本考案の柄の中ほどに補助グリップを設けた雪掻きの使用例を示し、以下に補助グリップの構造図例を記す。【００１３】  尚、本考案の補助グリップは基本的に別装着構造ではあるが、全く同様の効果を求めるものでおれば雪掻きの柄自体と一体化される構造でも構わない。【００１４】  補助グリップの最頂部となる握り部３は、柄Ｂの軸から概ね１０から１５センチ程度突出する形態で良い。これは雪掻きの本体と柄の角度と長さ、更に実際の作業における両手の持ち位置などを計算した場合、ほとんど腰を屈めなくても作業が可能となる高さである。【００１５】  因みに、スコップを上記に当てはめた場合には、握り部３は２０から３０センチも突出する計算となり、このような形態の補助具では実用とはならないのである。この意味は、補助具によって腰の負担を防止する対策は雪掻きにのみ該当すると云う事なのである。【００１６】  補助グリップＡは、柄Ｂの先端１０より約５０センチ程度雪掻き本体Ｃ側の任意位置に装着され、柄の軸より垂直方向に突出する角度位置にてストッパーが働く。この垂直方向と柄と水平方向との間を回動する折りたたみ構造をなしており、この場合、ノブねじ２の締め付け抵抗により不使用時に不用意に動く問題はない。【００１７】  そして、補助グリップＡは、ノブねじ２を更に緩める事で簡単に装着位置を変更する事も出来る。【００１８】  以下に、実際の除雪作業を元に、本考案の補助グリップＡを装備した雪掻きがどのような働きをなすのかを説明する。【００１９】  先ず、本考案の補助グリップＡが装着される雪掻きは通称「雪はね」とも呼ばれるように大量の雪を雪掻き本体Ｃに取り込み、これを柄Ｂの中ほどを握る手によって持ち上げ投雪するものである。この場合、柄の角度から腰を屈めなければ片手側は柄に手が届かない。これが従来の雪掻きの欠点であるが、本考案の補助グリップは握り部３が柄の垂直方向に略１０から１５センチ突出しており、雪掻きにおける柄の角度からの計算では両手の握り位置に合致する。【００２０】  しかも、補助グリップＡ以外の柄Ｂの部分を握る事も可能であるから、全く従来通りの使用も可能である。よって腰を屈める必要がない利点を有するのみならず、持ち方のバリエーションが増える利点をも有するのである。【００２１】  更に、握り部３の方向が柄Ｂとクロスする形態となるため、手首を返す事がない。これは、手首を自然の向きのまま雪掻きを行う事を意味し、人間工学的にも優れた働きをなすのである。【００２２】  このように、雪掻きに補助グリップを設けた場合には極めて効果的であるが、これは樹脂部材による軽量で単純構造の補助グリップが雪掻きに用いられる事によって実現している。従って、同様の機能を求めるものであっても、スコップのように堅牢な重量物の本体を用い、硬い石や土などを対象として作業する用具にはほとんど該当しないのである。
【考案の効果】
【００２３】  従来の雪掻きの欠点は、軽量な雪を取り込むため腕の力はそれほど必要としないにも関わらず、構造上腰の曲げ伸ばし動作は避けられない事にある。除雪作業が重労働とされる原因は正にここにあるのであって、本考案による補助グリップはこの問題を解決する事で人々に重大な貢献をなすものである。
【００２４】  本考案の補助グリップのグリップ側は、樹脂部材による一体型抜き構造とし、受け具とノブねじにより構成される単純構造により安価に製造出来る。これは極めて重要な効果であり、その理由は、例えば比較的安価な雪掻きでは５００円以下で販売されている現実から、高価な補助グリップでは市場が受け入れない事は容易に想定されるからである。
【図面の簡単な説明】
【図１】本考案に用いられる一般の雪掻き用具２種を示す
【図２】補助グリップを装着した雪掻きの使用例を示す
【図３】補助グリップの折りたたみ形態を示す
【図４】補助グリップの正面図である
【図５】補助グリップの側面図である
【図６】受け具の正面図である
【図７】受け具の側面図である
【符号の説明】
Ａ：本考案の補助グリップ
Ｂ：柄
Ｃ：雪掻き本体
２：ノブねじ
３：握り部
４：受け具
５：合体部
６：ストッパー
７：ネジ穴
１０：柄の先端部（握りハンドル）
【図１】
0003101183.tif 000003
【図２】
0003101183.tif 000004
【図３】
0003101183.tif 000005
【図４】
0003101183.tif 000006
【図５】
0003101183.tif 000007
【図６】
0003101183.tif 000008
【図７】
0003101183.tif 000009